(57)【要約】【課題】ブーツを外すとストッパー機能が働き、ブーツを装着するとストッパー機能が解除されるスノーボードビンディングを提供すること。【解決手段】ハイバック４を後方へ回動付勢する付勢体９を設けて、この付勢体９の回動付勢によりロック機構６のロックレバー７をロック解除状態とするとハイバック４が後方へ自動回動するように構成し、ハイバック４が後方回動限位置若しくは後方回動限位置付近に至ると、ロック機構６の連結索８が緊張してロックレバー７のハイバック４後面部からの起立姿勢が保持されて、この起立姿勢のロックレバー７がスノーボード板１の下方の雪面Ｓに接して流れ止め作用を発揮するように構成したスノーボードビンディング。【選択図】図５
2017023522.tif 000002
【特許請求の範囲】
【請求項１】
スノーボード板に取り付けられてブーツを載置可能なベース部と、このベース部の後部に枢着されてベース部に対し前後方向に回動可能なハイバックと、このハイバックより前記ベース部の前側位置に設けられるストラップと、前記ハイバックを後方へ回動不能状態にロックするロック解除可能なロック機構とから成り、前記ロック機構は、前記ハイバックの後面部にロックレバーを回動自在に設けると共に、このロックレバーと前記ベース部との間に連結索を架設状態に設けて、このロックレバーを回動操作によりハイバックの後面部に沿設させると前記連結索が緊張してハイバックが後方へ回動不能なロック状態となり、このロック状態のロックレバーを回動操作によりハイバックの後面部から後方へ起立させると前記連結索が弛緩してハイバックが後方へ回動可能なロック解除状態となるように構成したスノーボードビンディングにおいて、前記ハイバックに、このハイバックを後方へ回動付勢する付勢体を設けて、この付勢体の回動付勢により前記ロック機構のロックレバーを前記ロック解除状態とするとハイバックが後方へ自動回動するように構成すると共に、ハイバックが後方回動限位置若しくは後方回動限位置付近に至ると、前記連結索が緊張してロックレバーのハイバック後面部からの起立姿勢が保持されて、この起立姿勢のロックレバーが前記スノーボード板の下方の雪面に接して流れ止め作用を発揮するように構成したことを特徴とするスノーボードビンディング。
【請求項２】
前記ロックレバーは、このロックレバーを回動操作可能な先端操作部を有する形状に形成すると共に、このロックレバーを前記ハイバックの後面部から後方へ起立させた状態で前記付勢体の回動付勢によりハイバックが後方回動限位置若しくは後方回動限位置付近に至ると、このロックレバーの前記先端操作部が前記スノーボード板の下面より下方へ突出してスノーボード板の下方の雪面に接する形状に形成したことを特徴とする請求項１記載のスノーボードビンディング。
【請求項３】
前記ハイバックに、前記ロック解除状態とした前記ロックレバーをハイバックの後面部から後方へ起立させた姿勢に保持するレバー保持体を設けて、前記付勢体により前記ハイバックが後方回動限位置若しくは後方回動限位置付近に至ると、このレバー保持体によりハイバック後面部からの起立姿勢が保持されたロックレバーの先端操作部が下向きに突出するように構成したことを特徴とする請求項１，２のいずれか１項に記載のスノーボードビンディング。
【請求項４】
前記付勢体は、前記ハイバックと前記ベース部との間に架設状態に設けて、この付勢体がハイバックを後方へ回動付勢する構成としたことを特徴とする請求項１〜３のいずれか１項に記載のスノーボードビンディング。
【請求項５】
スノーボード板に取り付けられてブーツを載置可能なベース部と、このベース部の後部に枢着されてベース部に対し前後方向に回動可能なハイバックと、このハイバックより前記ベース部の前側位置に設けられるストラップと、前記ハイバックを後方へ回動不能状態にロックするロック解除可能なロック機構とから成り、前記ロック機構は、前記ハイバックの後面部にロックレバーを回動自在に設けると共に、このロックレバーと前記ベース部との間に連結索を架設状態に設けて、このロックレバーを回動操作によりハイバックの後面部に沿設させると前記連結索が緊張してハイバックが後方へ回動不能なロック状態となり、このロック状態のロックレバーを回動操作によりハイバックの後面部から後方へ起立させると前記連結索が弛緩してハイバックが後方へ回動可能なロック解除状態となるように構成したスノーボードビンディングに取り付けて使用するスノーボードビンディング用ストッパー装置であって、前記ハイバックに取付可能でこのハイバックを後方へ回動付勢する付勢体を備えたことを特徴とするスノーボードビンディング用ストッパー装置。
【請求項６】
前記付勢体は、両端部に前記ベース部と前記ハイバックに取付可能な取付部を設けて、この取付部により付勢体をベース部とハイバックとの間に架設状態に取付可能な構成としたことを特徴とする請求項５記載のスノーボードビンディング用ストッパー装置。
【請求項７】
前記ハイバックの後面部に取付可能で、前記ロック解除状態とした前記ロックレバーをハイバックの後面部から後方へ起立した姿勢に保持するレバー保持体を備えて、前記付勢体により前記ハイバックが後方回動限位置若しくは後方回動限位置付近に至ると、このレバー保持体によりハイバック後面部からの起立姿勢が保持されたロックレバーの先端操作部が下向きに突出するように構成したことを特徴とする請求項５，６のいずれか１項に記載のスノーボードビンディング用ストッパー装置。
【発明の詳細な説明】
【技術分野】
【０００１】
本発明は、ブーツを外す動作に連動してスノーボードのストッパー（流れ止め）機能が働くスノーボードビンディング並びにスノーボードビンディング用ストッパー装置に関するものである。
【背景技術】
【０００２】
従来のスノーボードビンディングとして、例えば特許第２８３２７８３号（特許文献１）がある。
【０００３】
この特許文献１を簡単に説明すると、ベースプレートと、このベースプレートの後部にその下方部分を傾動自在に枢着したハイバックと、このハイバックの枢着部より更に下方に延長した部分にその下端部を取り付けたストラップ部と、前記ハイバックの後方への傾動をロックするロック解除可能なロック手段とから成り、前記ロック手段は、前記ハイバックの背面に沿って延び、その両端を夫々前記ハイバックの枢着部より前方部分のベースプレート両側に連結したワイヤーと、ハイバックに回動自在に枢着されて前記ワイヤーを緊張状態と緊張解除状態とに切替え操作するレバーとから成るものとされている。
【０００４】
そして、この特許文献１によると、ストラップ部のラチェットベルトとラチェット爪の係合を外すことなく、レバー操作でのロック解除によりハイバックを後方へ傾動させてブーツをベースプレートに対し極めて容易に着脱できると共に、ブーツの締め付け具合も毎回同じにすることができるという利点がある。
【先行技術文献】
【特許文献】
【０００５】
【特許文献１】特許第２８３２７８３号公報
【発明の概要】
【発明が解決しようとする課題】
【０００６】
ところで、スノーボードのビンディングには、リーシュコードと称される足に巻き付ける流れ止め用のバンドが設けられている。
【０００７】
しかしながら、このリーシュコードは、足への着脱作業をビンディングに対するブーツの着脱作業とは別に行わなければならないので面倒であり、またリーシュコードを足に巻き付けた際の体裁も良いとは言えないために、なかなか使用が徹底されないという現状であった。
【０００８】
そのため、リーシュコードを付けていないことが原因でスノーボード板がゲレンデの斜面下方へ流れて他のスキーヤーやスノーボーダーに衝突してしまう事故が後を絶たず、また、スキーのストッパーのように、ビンディングからブーツを外すと自動的にストッパー機能が働くものではないために、ブーツ着脱時（両足がビンディングから外れている時）にスノーボード板がゲレンデの斜面下方へ流れてしまったり、スタンドに立て掛けたスノーボード板が風等の影響で勝手に倒れてゲレンデの斜面下方へ流れてしまったりすることもあった。
【０００９】
本発明は、このようなスノーボード用流れ止めの問題点に鑑み、これを解決しようとするもので、上記特許文献１のようなハイバック後方可倒タイプのビンディングを改良することにより、スキーのストッパーと同様にブーツを外す動作に連動してストッパー機能が働くスノーボードビンディング、並びにハイバック後方可倒タイプのビンディングに取り付けることによって前記ストッパー機能を発揮するスノーボードビンディング用ストッパー装置を提供するものである。
【課題を解決するための手段】
【００１０】
添付図面を参照して本発明の要旨を説明する。
【００１１】
スノーボード板１に取り付けられてブーツ２を載置可能なベース部３と、このベース部３の後部に枢着されてベース部３に対し前後方向に回動可能なハイバック４と、このハイバック４より前記ベース部３の前側位置に設けられるストラップ５と、前記ハイバック４を後方へ回動不能状態にロックするロック解除可能なロック機構６とから成り、前記ロック機構６は、前記ハイバック４の後面部にロックレバー７を回動自在に設けると共に、このロックレバー７と前記ベース部３との間に連結索８を架設状態に設けて、このロックレバー７を回動操作によりハイバック４の後面部に沿設させると前記連結索８が緊張してハイバック４が後方へ回動不能なロック状態となり、このロック状態のロックレバー７を回動操作によりハイバック４の後面部から後方へ起立させると前記連結索８が弛緩してハイバック４が後方へ回動可能なロック解除状態となるように構成したスノーボードビンディングＡにおいて、前記ハイバック４に、このハイバック４を後方へ回動付勢する付勢体９を設けて、この付勢体９の回動付勢により前記ロック機構６のロックレバー７を前記ロック解除状態とするとハイバック４が後方へ自動回動するように構成すると共に、ハイバック４が後方回動限位置若しくは後方回動限位置付近に至ると、前記連結索８が緊張してロックレバー７のハイバック４後面部からの起立姿勢が保持されて、この起立姿勢のロックレバー７が前記スノーボード板１の下方の雪面Ｓに接して流れ止め作用を発揮するように構成したことを特徴とするスノーボードビンディングに係るものである。
【００１２】
また、前記ロックレバー７は、このロックレバー７を回動操作可能な先端操作部11を有する形状に形成すると共に、このロックレバー７を前記ハイバック４の後面部から後方へ起立させた状態で前記付勢体９の回動付勢によりハイバック４が後方回動限位置若しくは後方回動限位置付近に至ると、このロックレバー７の前記先端操作部11が前記スノーボード板１の下面より下方へ突出してスノーボード板１の下方の雪面Ｓに接する形状に形成したことを特徴とする請求項１記載のスノーボードビンディングに係るものである。
【００１３】
また、前記ハイバック４に、前記ロック解除状態とした前記ロックレバー７をハイバック４の後面部から後方へ起立させた姿勢に保持するレバー保持体10を設けて、前記付勢体９により前記ハイバック４が後方回動限位置若しくは後方回動限位置付近に至ると、このレバー保持体10によりハイバック４後面部からの起立姿勢が保持されたロックレバー７の先端操作部11が下向きに突出するように構成したことを特徴とする請求項１，２のいずれか１項に記載のスノーボードビンディングに係るものである。
【００１４】
また、前記付勢体９は、前記ハイバック４と前記ベース部３との間に架設状態に設けて、この付勢体９がハイバック４を後方へ回動付勢する構成としたことを特徴とする請求項１〜３のいずれか１項に記載のスノーボードビンディングに係るものである。
【００１５】
また、スノーボード板１に取り付けられてブーツ２を載置可能なベース部３と、このベース部３の後部に枢着されてベース部３に対し前後方向に回動可能なハイバック４と、このハイバック４より前記ベース部３の前側位置に設けられるストラップ５と、前記ハイバック４を後方へ回動不能状態にロックするロック解除可能なロック機構６とから成り、前記ロック機構６は、前記ハイバック４の後面部にロックレバー７を回動自在に設けると共に、このロックレバー７と前記ベース部３との間に連結索８を架設状態に設けて、このロックレバー７を回動操作によりハイバック４の後面部に沿設させると前記連結索８が緊張してハイバック４が後方へ回動不能なロック状態となり、このロック状態のロックレバー７を回動操作によりハイバック４の後面部から後方へ起立させると前記連結索８が弛緩してハイバック４が後方へ回動可能なロック解除状態となるように構成したスノーボードビンディングＡに取り付けて使用するスノーボードビンディング用ストッパー装置であって、前記ハイバック４に取付可能でこのハイバック４を後方へ回動付勢する付勢体９を備えたことを特徴とするスノーボードビンディング用ストッパー装置に係るものである。
【００１６】
また、前記付勢体９は、両端部に前記ベース部３と前記ハイバック４に取付可能な取付部12を設けて、この取付部12により付勢体９をベース部３とハイバック４との間に架設状態に取付可能な構成としたことを特徴とする請求項５記載のスノーボードビンディング用ストッパー装置に係るものである。
【００１７】
また、前記ハイバック４の後面部に取付可能で、前記ロック解除状態とした前記ロックレバー７をハイバック４の後面部から後方へ起立した姿勢に保持するレバー保持体10を備えて、前記付勢体９により前記ハイバック４が後方回動限位置若しくは後方回動限位置付近に至ると、このレバー保持体10によりハイバック４後面部からの起立姿勢が保持されたロックレバー７の先端操作部11が下向きに突出するように構成したことを特徴とする請求項５，６のいずれか１項に記載のスノーボードビンディング用ストッパー装置に係るものである。
【発明の効果】
【００１８】
本発明は上述のように構成したから、前記特許文献１と同様の作用効果に加えて、面倒なリーシュコードの足への巻き付け作業が不要で、ブーツを取り外すためにハイバックのロック機構のロックレバーを回動操作するだけで、自動的にハイバックが後方へ回動しロックレバーが雪面に接してスノーボード板の流れ止め作用を発揮できる。
【００１９】
即ち、スキーのストッパーと同様に、ブーツをビンディングから外している間は流れ止め作用を発揮でき、そのため、スノーボード板だけがゲレンデの斜面下方へ流れてしまって他のスキーヤーやスノーボーダーと衝突する事故を確実に防止できる極めて実用性に優れたスノーボードビンディングとなる。
【００２０】
また、請求項２記載の発明においては、確実に雪面に接してスノーボード板の流れ止め作用を発揮できるロックレバーを、簡易構成により容易に設計実現可能となる一層実用性に優れた構成のスノーボードビンディングとなる。
【００２１】
また、請求項３記載の発明においては、ロックレバーが確実に雪面に接してスノーボード板の流れ止め作用を発揮する構成を、簡易構成により容易に設計実現可能となる一層実用性に優れた構成のスノーボードビンディングとなる。
【００２２】
また、請求項４記載の発明においては、ロックレバーを操作してロック解除状態とすることによりハイバックが後方へ自動回動する構成を、簡易構成により容易に設計実現可能となる一層実用性に優れた構成のスノーボードビンディングとなる。
【００２３】
また、請求項５記載の発明においては、既存のスノーボードビンディングに取付（後付）でき、これにより前記請求項１記載の発明と同様の作用効果を発揮できる極めて実用性に優れたスノーボードビンディング用ストッパー装置となる。
【００２４】
また、請求項６記載の発明においては、付勢体をベース部とハイバックに対し簡易に取り付けできると共に、ロックレバーを操作してロック解除状態とすることによりハイバックが後方へ自動回動する構成を、簡易構成により容易に設計実現可能となる一層実用性に優れた構成のスノーボードビンディング用ストッパー装置となる。
【００２５】
また、請求項７記載の発明においては、ロックレバーが確実に雪面に接してスノーボード板の流れ止め作用を発揮する構成を、簡易構成により容易に設計実現可能となる一層実用性に優れた構成のスノーボードビンディング用ストッパー装置となる。
【図面の簡単な説明】
【００２６】
【図１】実施例１の使用状態を示す概略説明斜視図である。
【図２】実施例１のブーツ装着状態を示す説明側面図である。
【図３】実施例１のハイバックのロック状態を示す説明背面図である。
【図４】実施例１のロックレバーの作動説明図である。
【図５】実施例１のハイバックが後方へ回動してロックレバーが雪面に接した状態を示す説明側面図である。
【図６】実施例３のハイバックのロック状態を示す説明背面図である。
【図７】実施例４のブーツ装着状態を示す説明側面図である。
【図８】実施例５のロックレバーの作動説明図である。
【発明を実施するための形態】
【００２７】
好適と考える本発明の実施形態を、図面に基づいて本発明の作用を示して簡単に説明する。
【００２８】
本発明（請求項１）のスノーボードビンディングＡは、ベース部３の後部にハイバック４が前後方向に回動可能に枢着されており、ブーツ２装着時には、このハイバック４をロック機構６により後方へ回動不能状態にロックする。
【００２９】
具体的には、ハイバック４の後面部に回動可能に設けたロックレバー７を回動操作して、このロックレバー７をハイバック４の後面部に沿設させると、ロックレバー７と前記ベース部３との間に架設状態に設けた連結索８が緊張してハイバック４が後方へ回動不能なロック状態となり、このハイバック４と、ハイバック４より前記ベース部３の前側位置に設けたストラップ５とでベース部３に載置したブーツ２がベース部３に拘束される（ブーツ２装着状態となる。）。
【００３０】
ブーツ２をビンディングＡから取り外す時は、前記ロック機構６をロック解除してハイバック４を後方へ倒すように回動する。
【００３１】
具体的には、ハイバック４の後面部に沿設している（前記ロック状態を維持している）ロックレバー７を、ハイバック４の後面部から後方へ起立させるように回動操作すると、前記連結索８が弛緩してハイバック４を後方へ回動可能なロック解除状態となる。
【００３２】
また、ロック解除状態とすると、ハイバック４に設けた付勢体９の回動付勢によってハイバック４が後方へ自動回動することになり、この回動付勢によってハイバック４が後方回動限位置若しくは後方回動限位置付近に至ると、前記連結索８が緊張してロックレバー７のハイバック４後面部からの起立姿勢が保持されて、この起立姿勢のロックレバー７が前記スノーボード板１の下方の雪面Ｓに接して流れ止め作用を発揮することになる。
【００３３】
従って、ブーツ２を外すためにロックレバー７をロック解除状態に回動操作すると、自動的にロックレバー７によるスノーボード板１の流れ止め作用が発揮されることになる。そのため、面倒なリーシュコードの足への巻き付け作業が不要となり、リーシュコード巻き付けによる体裁不良も生じない。
【００３４】
また、ハイバック４が後方へ回動すると、ブーツ２をベース部３に対して後方へ移動可能となるので、ストラップ５に拘束されない後方位置までブーツ２を移動させることによりブーツ２をベース部３から取り外すことができる。
【００３５】
従って、ストラップ５を外すことなくブーツ２をベース部３に対し着脱でき、このストラップ５によるブーツの拘束状態調整も、一度調整してしまえばブーツ２着脱の都度調整する手間がなく、毎回同じブーツ２の拘束状態を作り出すことが可能となる。
【００３６】
再度ブーツ２を装着する時は、ブーツ２をベース部３に載置した後、ハイバック４を前記付勢体９の付勢力に抗し前方へ回動操作してブーツ２後部に沿わせた上で前記ロック状態とするので、ロックレバー７が雪面Ｓから離反し流れ止め状態は解除される。
【００３７】
即ち、スキーのストッパーと同様にブーツ２をビンディングＡから外している間は流れ止め作用を発揮するので、リーシュコードを付けていなくてスノーボード板１がゲレンデの斜面下方へ流れてしまったり、ブーツ２着脱時（両足がビンディングから外れている時）にスノーボード板１がゲレンデの斜面下方へ流れてしまったり、スタンドに立て掛けたスノーボード板１が勝手に倒れてゲレンデの斜面下方へ流れてしまったりすること等が確実に防止されることとなり、これによりコントロール不能となったスノーボード板１と、他のスキーヤーやスノーボーダーとの衝突事故を回避できる。
【００３８】
また、本発明（請求項５）のスノーボードビンディング用ストッパー装置は、スノーボード板１に取り付けられてブーツ２を載置可能なベース部３と、このベース部３の後部に枢着されてベース部３に対し前後方向に回動可能なハイバック４と、このハイバック４より前記ベース部３の前側位置に設けられるストラップ５と、前記ハイバック４を後方へ回動不能状態にロックするロック解除可能なロック機構６とから成り、前記ロック機構６は、前記ハイバック４の後面部にロックレバー７を回動自在に設けると共に、このロックレバー７と前記ベース部３との間に連結索８を架設状態に設けて、このロックレバー７を回動操作によりハイバック４の後面部に沿設させると前記連結索８が緊張してハイバック４が後方へ回動不能なロック状態となり、このロック状態のロックレバー７を回動操作によりハイバック４の後面部から後方へ起立させると前記連結索８が弛緩してハイバック４が後方へ回動可能なロック解除状態となるように構成した公知のスノーボードビンディングＡに対して、付勢体９を前記ハイバック４に取り付けできる。
【００３９】
すると、この付勢体９によるハイバック４の回動付勢により、上記請求項１のスノーボードビンディングＡと同様の作用効果を発揮することになる。
【実施例１】
【００４０】
本発明の具体的な実施例について図１〜図５に基づいて説明する。
【００４１】
本実施例は、左右一対を具備するスノーボードビンディングのうち、前足を装着する方のビンディングＡに対して適用するものである。
【００４２】
このビンディングＡは、図１〜図３に示すように、スノーボード板１の上面に取り付けられてブーツ２を載置可能なベース部３と、このベース部３の後部に枢着されてベース部３に対し前後方向に回動可能なハイバック４と、このハイバック４より前記ベース部３の前側位置に設けられるストラップ５と、前記ハイバック４を後方へ回動不能状態にロックするロック解除可能なロック機構６とから成る公知のハイバック４後方可倒タイプ（ハイバック４を後方へ倒してブーツ２をベース部３から着脱できるタイプ）を採用している。
【００４３】
更に詳しくは、ベース部３は、図２，図３に示すように左右両側に取付壁部13を立設状態に設けた構成とし、この各取付壁部13の後端部にハイバック４の両側下部を回動自在に枢着することにより、少なくともこのハイバック４がベース部３の前方へ倒れた状態と、ベース部３の後方へ水平に近い姿勢にまで倒れた状態（図５参照）との間でベース部３に対し前後方向に回動可能に設け、この図５の状態をハイバック４の後方回動限位置としている。
【００４４】
また、この各取付壁部13の、前記ハイバック４の枢着部14より下方位置に、前記ストラップ５としてのアンクルストラップ５Ａを回動自在に枢着し、各取付壁部13の前端部には、前記ストラップ５としてのトゥーストラップ５Ｂを回動自在に枢着し、更にこのアンクルストラップ５Ａとトゥーストラップ５Ｂには、ブーツ２の甲部分を押え込んで拘束する押え部材15を架設状態に設けた構成としている。
【００４５】
また、アンクルストラップ５Ａとトゥーストラップ５Ｂには、夫々にラチェット機構16を設けて、前記押え部材15によるブーツ２の押え付け度合（締付度合）を調整可能な構成としている。
【００４６】
前記ロック機構６は、前記ハイバック４の後面部にロックレバー７を回動自在に設けると共に、このロックレバー７と前記ベース部３との間に連結索８を架設状態に設けた構成としている。
【００４７】
また、ロックレバー７は、帯板状に形成して、その先端部を先端操作部11とすると共に、その基端部を、ハイバック４後面部の中ほどの左右位置に後方に向けて突設した取付片18間に回動自在に枢着している。
【００４８】
更にこのロックレバー７は、その対向側面部間に、前記連結索８としてのワイヤー８を挿通する挿通孔19を貫通形成し、この挿通孔19に挿通したワイヤー８の両端部を、前記取付壁部13の、前記アンクルストラップ５Ａの枢着部と前記トゥーストラップ５Ｂの枢着部との間の位置に固定している。
【００４９】
そして、ハイバック４をベース部３に対し略直立状態とした際にロックレバー７を回動操作によりハイバック４の後面部に沿設させると、図２に示すように前記ワイヤー８が緊張してハイバック４が後方へ回動不能なロック状態となり、このロック状態でロックレバー７を回動操作によりハイバック４の後面部から後方へ起立させると、図２中の二点鎖線で示したように前記連結索８が弛緩してハイバック４が後方へ回動可能なロック解除状態となるように構成している。図中符号21はワイヤー８のテンション調整ネジである。
【００５０】
また、ロックレバー７の基端部と前記取付片18間のハイバック４後面部とに夫々係合突起20を設け、このロックレバー７をハイバック４の後面部に沿設させると（前記ロック状態とすると）、ハイバック４側の係合突起20をロックレバー７側の係合突起20が乗り越えてこのロック状態が維持され、尚且つこのロック状態からロックレバー７を力を加えて後方へ回動操作することでハイバック４側の係合突起20をロックレバー７側の係合突起20が乗り越えて前記ロック解除状態にできる構成としている。
【００５１】
本実施例は、上述した公知のスノーボードビンディングＡにおいて、前記ロックレバー７の枢着部17より下方の前記左右の取付片18間に、レバー保持体10としてのピン10を架設状態に設けて、このピン10に、前記ハイバック４の後面部から後方へ回動させたロックレバー７が当たると、ロックレバー７がハイバック４の後面部から後方へ起立した姿勢となると共に、これ以上は下方へ回動しないように回動規制される構成としている。
【００５２】
即ち、本実施例のロックレバー７は、ハイバック４の後面部に沿設した位置と、前記ピン10に当たってハイバック４の後面部に対し起立した位置との間で回動移動可能な構成としている（図２，図４参照）。
【００５３】
そして、このピン10によってハイバック４後面部から起立姿勢に保持されたロックレバー７は、前記ハイバック４が後方回動限位置付近から後方回動限位置に至ると（水平に近い姿勢に至ると）、前記先端操作部11が略水平となったハイバック４の後面部から下向きに突出（垂下）するように構成している（図５参照）。
【００５４】
また、本実施例は、前記ハイバック４に、このハイバック４を後方へ回動付勢する付勢体９を設けて、この付勢体９の回動付勢により前記ロック機構６のロックレバー７を前記ロック解除状態とするとハイバック４が後方へ自動回動するように構成している。
【００５５】
具体的には、付勢体９は、抗張弾性を有するコイルバネ９Ａを採用し、このコイルバネ９Ａを前記ハイバック４と前記ベース部３との間に架設状態に設けている。
【００５６】
また、このコイルバネ９Ａは、その両端部に取付部12としての取付環12を設けて、この取付環12にビス等を挿通してコイルバネ９Ａの一端を前記ハイバック４後面部の下部寄り位置に取り付けすると共に、コイルバネ９Ａの他端を前記ベース部３の側面部の後部寄り位置に取り付けした構成としている。
【００５７】
また、このコイルバネ９Ａは、ハイバック４後面部の左側位置とベース部３の左側面部との間と、ハイバック４後面部の右側位置とベース部３の右側面部との間に夫々一体ずつ、合計二体を取り付けした構成とすると共に、このコイルバネ９Ａは、ハイバック４がベース部３に対し略直立状態となった時に伸長して復帰付勢力を生じる長さ寸法のものを採用して、前記ロック機構６のロックレバー７を前記ロック解除状態とすると、直ちにこのコイルバネ９Ａの回動付勢力がハイバック４に作用してハイバック４が後方へ自動回動する構成としている。
【００５８】
そして、この付勢体９（コイルバネ９Ａ）の回動付勢により、ハイバック４が後方回動限位置付近及び後方回動限位置に至ると、前記連結索８（ワイヤー８）が緊張してロックレバー７のハイバック４後面部からの起立姿勢が保持され、略水平となったハイバック４の後面部からこの起立姿勢のロックレバー７が下向きに突出することになる構成としている。
【００５９】
また、ここで本実施例のロックレバー７について更に説明すると、前記コイルバネ９Ａの回動付勢により、ハイバック４が後方回動限位置付近及び後方回動限位置に至ってこのロックレバー７が下向きに突出した際に、その前記先端操作部11が前記スノーボード板１の下面より下方へ突出することになる長さ寸法の帯板状に形成している（図５参照）。即ち、このロックレバー７は、スノーボード板１の下方の雪面Ｓに突き刺さるようにして雪面Ｓに接する構成とし、これにより雪面Ｓに対するスノーボード板１（スノーボードビンディングＡ）の流れ止め作用が発揮されることになる構成としている。
【００６０】
従って、このように構成した本実施例によれば、前足（ブーツ２）を外すためにロックレバー７をロック解除状態に回動操作すると、自動的にハイバック４が後方へ回動してロックレバー７が雪面Ｓに接して（突き刺さって）、スノーボード板１の流れ止め作用が発揮されることになる。
【００６１】
再び前足（ブーツ２）を装着する時は、ブーツ２をベース部３に載置した後、ハイバック４を前記付勢体９の付勢力に抗し前方へ回動操作してブーツ２後部に沿わせた上で、ロックレバー７を回動操作し前記ロック状態とするので、ロックレバー７が雪面Ｓから離反し流れ止め状態は解除されることとなる。
【００６２】
尚、本実施例のビンディングＡは、後足を装着する方のビンディングとして使用することも可能ではあるが、こうするとスケーティング動作を行うために後足をビンディングから外した際にも流れ止め作用が発揮されてしまうので、前足を装着する方のビンディングとして使用する。
【実施例２】
【００６３】
本発明の具体的な実施例２について説明する。
【００６４】
本実施例は、前記実施例１で詳述した公知のビンディングＡに対して取付（後付）可能なスノーボードビンディング用ストッパー装置を構成した場合であって、具体的には、前記実施例１で示した付勢体９（コイルバネ９Ａ）と、前記レバー保持体10（ピン10）とを備えた構成としている。
【００６５】
そして、この付勢体９とレバー保持体10とを前記ハイバック４に取り付けると、この付勢体９の回動付勢により、前記ロック機構６のロックレバー７を前記ロック解除状態とした際にハイバック４が後方へ自動回動し、ハイバック４が後方回動限位置若しくは後方回動限位置付近に至ると、前記連結索８の緊張とレバー保持体10（ピン10）の姿勢保持とによりロックレバー７のハイバック４後面部からの起立姿勢が保持されて、この起立姿勢のロックレバー７が前記スノーボード板１の下方の雪面Ｓに接して流れ止め作用を発揮するように構成したものである。
【００６６】
また、付勢体９とレバー保持体10の取り付けは、例えばユーザーや専門業者等がビンディングＡに前記実施例１と同様の加工を施すことによって行うと良い。
【００６７】
尚、本実施例の詳細については、前記実施例１の説明と重複するため省略する。また、後述する実施例３〜５の構成を採用した後付装置を採用しても良い。
【００６８】
また、本実施例のような後付装置の場合、ロックレバー７の長さが雪面Ｓへの流れ止め作用を発揮するに満たない場合の対応策として、前記ロックレバー７と交換可能な長さのある交換レバーを備えるか、若しくは前記ロックレバー７に装着可能なレバーアタッチメントを備える構成としても良い。
【実施例３】
【００６９】
本発明の具体的な実施例３について図６に基づいて説明する。
【００７０】
本実施例は、前記実施例１において、付勢体９としてのコイルバネ９Ａを、更にハイバック４の後面部の下部寄り中央位置と、ベース部３の後部中央部との間にも架設して、合計三体のコイルバネ９Ａで、前記ハイバック４を後方へ回動付勢する構成とした場合である。
【００７１】
尚、この付勢体９としてのコイルバネ９Ａは、前記ハイバック４と前記ベース部３との間に、一体だけ架設状態に設ける構成としても良いし、四体以上を架設状態に設ける構成としても良い。
【００７２】
他の構成は、前記実施例１と同様である。
【実施例４】
【００７３】
本発明の具体的な実施例４について図７に基づいて説明する。
【００７４】
本実施例は、前記実施例１において、付勢体９の構成を異ならせた場合である。
【００７５】
具体的には、本実施例の付勢体９は、トーションバネ９Ｂを採用している。
【００７６】
更に詳しくは、トーションバネ９Ｂは前記枢着部14に軸支し、この各トーションバネ９Ｂの一端をハイバック４に係止すると共に、他端をベース部３に係止して、このトーションバネ９Ｂが前記ハイバック４を後方へ回動付勢する構成としている。
【００７７】
尚、このトーションバネ９Ｂは、左右の枢着部14の双方に設ける構成でも良いし、いずれか一方の枢着部14にだけ設ける構成でも良い。また、このトーションバネ９Ｂと、実施例１で付勢体９として示したコイルバネ９Ａとを併用する構成としても良い。
【００７８】
他の構成は、前記実施例１と同様である。
【実施例５】
【００７９】
本発明の具体的な実施例５について図８に基づいて説明する。
【００８０】
本実施例は、前記実施例１において、前記ロックレバー７に、このロックレバー７を後方へ回動付勢して前記ハイバック４の後面部から後方へ起立させるレバー付勢体22を設けた場合である。
【００８１】
具体的には、レバー付勢体22は、トーションバネ22を採用し、このトーションバネ22を前記枢着部17に軸支し、例えば、このトーションバネ22の一端をロックレバー７に係止すると共に、他端を前記取付片18若しくはハイバック４後面部に係止して、このトーションバネ22が前記ロックレバー７を後方へ回動付勢する構成としている。
【００８２】
尚、このレバー付勢体22は、トーションバネ22以外の他の弾性体を採用して構成しても良い。
【００８３】
他の構成は、前記実施例１と同様である。
【００８４】
尚、本発明は、実施例１〜５に限られるものではなく、各構成要件の具体的構成は適宜設計し得るものである。
【符号の説明】
【００８５】
１  スノーボード板
２  ブーツ
３  ベース部
４  ハイバック
５  ストラップ
６  ロック機構
７  ロックレバー
８  連結索
９  付勢体
10  レバー保持体
11  先端操作部
12  取付部
Ａ  スノーボードビンディング
Ｓ  雪面
【図１】
2017023522.tif 000003
【図２】
2017023522.tif 000004
【図３】
2017023522.tif 000005
【図４】
2017023522.tif 000006
【図５】
2017023522.tif 000007
【図６】
2017023522.tif 000008
【図７】
2017023522.tif 000009
【図８】
2017023522.tif 000010
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
スノーボード板に取り付けられてブーツを載置可能なベース部と、このベース部の後部に枢着されてベース部に対し前後方向に回動可能なハイバックと、このハイバックより前記ベース部の前側位置に設けられるストラップと、前記ハイバックを後方へ回動不能状態にロックするロック解除可能なロック機構とから成り、前記ロック機構は、前記ハイバックの後面部にロックレバーが回動自在に設けられていると共に、このロックレバーと前記ベース部との間に連結索が架設状態に設けられて、このロックレバーを回動操作によりハイバックの後面部に沿設させると前記連結索が緊張してハイバックが後方へ回動不能なロック状態となり、このロック状態のロックレバーを回動操作によりハイバックの後面部から後方へ起立させると前記連結索が弛緩してハイバックが後方へ回動可能なロック解除状態となるように構成されているスノーボードビンディングにおいて、前記ハイバックに、このハイバックを後方へ回動付勢する付勢体が設けられて、この付勢体の回動付勢により前記ロック機構のロックレバーを前記ロック解除状態とするとハイバックが後方へ自動回動するように構成されていると共に、ハイバックが後方回動限位置若しくは後方回動限位置付近に至ると、前記連結索が緊張してロックレバーのハイバック後面部からの起立姿勢が保持されて、この起立姿勢のロックレバーが前記スノーボード板の下方の雪面に接して流れ止め作用を発揮するように構成されていることを特徴とするスノーボードビンディング。
【請求項２】
前記ロックレバーは、このロックレバーを回動操作可能な先端操作部を有する形状に形成されていると共に、このロックレバーを前記ハイバックの後面部から後方へ起立させた状態で前記付勢体の回動付勢によりハイバックが後方回動限位置若しくは後方回動限位置付近に至ると、このロックレバーの前記先端操作部が前記スノーボード板の下面より下方へ突出してスノーボード板の下方の雪面に接する形状に形成されていることを特徴とする請求項１記載のスノーボードビンディング。
【請求項３】
前記ハイバックに、前記ロック解除状態とした前記ロックレバーをハイバックの後面部から後方へ起立させた姿勢に保持するレバー保持体が設けられて、前記付勢体により前記ハイバックが後方回動限位置若しくは後方回動限位置付近に至ると、このレバー保持体によりハイバック後面部からの起立姿勢が保持されたロックレバーの先端操作部が下向きに突出するように構成されていることを特徴とする請求項１，２のいずれか１項に記載のスノーボードビンディング。
【請求項４】
前記付勢体は、前記ハイバックと前記ベース部との間に架設状態に設けられて、この付勢体によりハイバックが後方へ回動付勢されていることを特徴とする請求項１〜３のいずれか１項に記載のスノーボードビンディング。
【請求項５】
スノーボード板に取り付けられてブーツを載置可能なベース部と、このベース部の後部に枢着されてベース部に対し前後方向に回動可能なハイバックと、このハイバックより前記ベース部の前側位置に設けられるストラップと、前記ハイバックを後方へ回動不能状態にロックするロック解除可能なロック機構とから成り、前記ロック機構は、前記ハイバックの後面部にロックレバーが回動自在に設けられていると共に、このロックレバーと前記ベース部との間に連結索が架設状態に設けられて、このロックレバーを回動操作によりハイバックの後面部に沿設させると前記連結索が緊張してハイバックが後方へ回動不能なロック状態となり、このロック状態のロックレバーを回動操作によりハイバックの後面部から後方へ起立させると前記連結索が弛緩してハイバックが後方へ回動可能なロック解除状態となるように構成されているスノーボードビンディングに取り付けて使用するスノーボードビンディング用ストッパー装置であって、前記ハイバックに取付可能でこのハイバックを後方へ回動付勢する付勢体を備えていることを特徴とするスノーボードビンディング用ストッパー装置。
【請求項６】
前記付勢体は、両端部に前記ベース部と前記ハイバックに取付可能な取付部が設けられて、この取付部により付勢体をベース部とハイバックとの間に架設状態に取付可能に構成されていることを特徴とする請求項５記載のスノーボードビンディング用ストッパー装置。
【請求項７】
前記ハイバックの後面部に取付可能で、前記ロック解除状態とした前記ロックレバーをハイバックの後面部から後方へ起立した姿勢に保持するレバー保持体を備えて、前記付勢体により前記ハイバックが後方回動限位置若しくは後方回動限位置付近に至ると、このレバー保持体によりハイバック後面部からの起立姿勢が保持されたロックレバーの先端操作部が下向きに突出するように構成されていることを特徴とする請求項５，６のいずれか１項に記載のスノーボードビンディング用ストッパー装置。
【手続補正２】
【補正対象書類名】明細書
【補正対象項目名】全文
【補正方法】変更
【補正の内容】
【発明の詳細な説明】
【技術分野】
【０００１】
本発明は、ブーツを外す動作に連動してスノーボードのストッパー（流れ止め）機能が働くスノーボードビンディング並びにスノーボードビンディング用ストッパー装置に関するものである。
【背景技術】
【０００２】
従来のスノーボードビンディングとして、例えば特許第２８３２７８３号（特許文献１）がある。
【０００３】
この特許文献１を簡単に説明すると、ベースプレートと、このベースプレートの後部にその下方部分を傾動自在に枢着したハイバックと、このハイバックの枢着部より更に下方に延長した部分にその下端部を取り付けたストラップ部と、前記ハイバックの後方への傾動をロックするロック解除可能なロック手段とから成り、前記ロック手段は、前記ハイバックの背面に沿って延び、その両端を夫々前記ハイバックの枢着部より前方部分のベースプレート両側に連結したワイヤーと、ハイバックに回動自在に枢着されて前記ワイヤーを緊張状態と緊張解除状態とに切替え操作するレバーとから成るものとされている。
【０００４】
そして、この特許文献１によると、ストラップ部のラチェットベルトとラチェット爪の係合を外すことなく、レバー操作でのロック解除によりハイバックを後方へ傾動させてブーツをベースプレートに対し極めて容易に着脱できると共に、ブーツの締め付け具合も毎回同じにすることができるという利点がある。
【先行技術文献】
【特許文献】
【０００５】
【特許文献１】特許第２８３２７８３号公報
【発明の概要】
【発明が解決しようとする課題】
【０００６】
ところで、スノーボードのビンディングには、リーシュコードと称される足に巻き付ける流れ止め用のバンドが設けられている。
【０００７】
しかしながら、このリーシュコードは、足への着脱作業をビンディングに対するブーツの着脱作業とは別に行わなければならないので面倒であり、またリーシュコードを足に巻き付けた際の体裁も良いとは言えないために、なかなか使用が徹底されないという現状であった。
【０００８】
そのため、リーシュコードを付けていないことが原因でスノーボード板がゲレンデの斜面下方へ流れて他のスキーヤーやスノーボーダーに衝突してしまう事故が後を絶たず、また、スキーのストッパーのように、ビンディングからブーツを外すと自動的にストッパー機能が働くものではないために、ブーツ着脱時（両足がビンディングから外れている時）にスノーボード板がゲレンデの斜面下方へ流れてしまったり、スタンドに立て掛けたスノーボード板が風等の影響で勝手に倒れてゲレンデの斜面下方へ流れてしまったりすることもあった。
【０００９】
本発明は、このようなスノーボード用流れ止めの問題点に鑑み、これを解決しようとするもので、上記特許文献１のようなハイバック後方可倒タイプのビンディングを改良することにより、スキーのストッパーと同様にブーツを外す動作に連動してストッパー機能が働くスノーボードビンディング、並びにハイバック後方可倒タイプのビンディングに取り付けることによって前記ストッパー機能を発揮するスノーボードビンディング用ストッパー装置を提供するものである。
【課題を解決するための手段】
【００１０】
添付図面を参照して本発明の要旨を説明する。
【００１１】
スノーボード板１に取り付けられてブーツ２を載置可能なベース部３と、このベース部３の後部に枢着されてベース部３に対し前後方向に回動可能なハイバック４と、このハイバック４より前記ベース部３の前側位置に設けられるストラップ５と、前記ハイバック４を後方へ回動不能状態にロックするロック解除可能なロック機構６とから成り、前記ロック機構６は、前記ハイバック４の後面部にロックレバー７が回動自在に設けられていると共に、このロックレバー７と前記ベース部３との間に連結索８が架設状態に設けられて、このロックレバー７を回動操作によりハイバック４の後面部に沿設させると前記連結索８が緊張してハイバック４が後方へ回動不能なロック状態となり、このロック状態のロックレバー７を回動操作によりハイバック４の後面部から後方へ起立させると前記連結索８が弛緩してハイバック４が後方へ回動可能なロック解除状態となるように構成されているスノーボードビンディングＡにおいて、前記ハイバック４に、このハイバック４を後方へ回動付勢する付勢体９が設けられて、この付勢体９の回動付勢により前記ロック機構６のロックレバー７を前記ロック解除状態とするとハイバック４が後方へ自動回動するように構成されていると共に、ハイバック４が後方回動限位置若しくは後方回動限位置付近に至ると、前記連結索８が緊張してロックレバー７のハイバック４後面部からの起立姿勢が保持されて、この起立姿勢のロックレバー７が前記スノーボード板１の下方の雪面Ｓに接して流れ止め作用を発揮するように構成されていることを特徴とするスノーボードビンディングに係るものである。
【００１２】
また、前記ロックレバー７は、このロックレバー７を回動操作可能な先端操作部11を有する形状に形成されていると共に、このロックレバー７を前記ハイバック４の後面部から後方へ起立させた状態で前記付勢体９の回動付勢によりハイバック４が後方回動限位置若しくは後方回動限位置付近に至ると、このロックレバー７の前記先端操作部11が前記スノーボード板１の下面より下方へ突出してスノーボード板１の下方の雪面Ｓに接する形状に形成されていることを特徴とする請求項１記載のスノーボードビンディングに係るものである。
【００１３】
また、前記ハイバック４に、前記ロック解除状態とした前記ロックレバー７をハイバック４の後面部から後方へ起立させた姿勢に保持するレバー保持体10が設けられて、前記付勢体９により前記ハイバック４が後方回動限位置若しくは後方回動限位置付近に至ると、このレバー保持体10によりハイバック４後面部からの起立姿勢が保持されたロックレバー７の先端操作部11が下向きに突出するように構成されていることを特徴とする請求項１，２のいずれか１項に記載のスノーボードビンディングに係るものである。
【００１４】
また、前記付勢体９は、前記ハイバック４と前記ベース部３との間に架設状態に設けられて、この付勢体９によりハイバック４が後方へ回動付勢されていることを特徴とする請求項１〜３のいずれか１項に記載のスノーボードビンディングに係るものである。
【００１５】
また、スノーボード板１に取り付けられてブーツ２を載置可能なベース部３と、このベース部３の後部に枢着されてベース部３に対し前後方向に回動可能なハイバック４と、このハイバック４より前記ベース部３の前側位置に設けられるストラップ５と、前記ハイバック４を後方へ回動不能状態にロックするロック解除可能なロック機構６とから成り、前記ロック機構６は、前記ハイバック４の後面部にロックレバー７が回動自在に設けられていると共に、このロックレバー７と前記ベース部３との間に連結索８が架設状態に設けられて、このロックレバー７を回動操作によりハイバック４の後面部に沿設させると前記連結索８が緊張してハイバック４が後方へ回動不能なロック状態となり、このロック状態のロックレバー７を回動操作によりハイバック４の後面部から後方へ起立させると前記連結索８が弛緩してハイバック４が後方へ回動可能なロック解除状態となるように構成されているスノーボードビンディングＡに取り付けて使用するスノーボードビンディング用ストッパー装置であって、前記ハイバック４に取付可能でこのハイバック４を後方へ回動付勢する付勢体９を備えていることを特徴とするスノーボードビンディング用ストッパー装置に係るものである。
【００１６】
また、前記付勢体９は、両端部に前記ベース部３と前記ハイバック４に取付可能な取付部12が設けられて、この取付部12により付勢体９をベース部３とハイバック４との間に架設状態に取付可能に構成されていることを特徴とする請求項５記載のスノーボードビンディング用ストッパー装置に係るものである。
【００１７】
また、前記ハイバック４の後面部に取付可能で、前記ロック解除状態とした前記ロックレバー７をハイバック４の後面部から後方へ起立した姿勢に保持するレバー保持体10を備えて、前記付勢体９により前記ハイバック４が後方回動限位置若しくは後方回動限位置付近に至ると、このレバー保持体10によりハイバック４後面部からの起立姿勢が保持されたロックレバー７の先端操作部11が下向きに突出するように構成されていることを特徴とする請求項５，６のいずれか１項に記載のスノーボードビンディング用ストッパー装置に係るものである。
【発明の効果】
【００１８】
本発明は上述のように構成したから、前記特許文献１と同様の作用効果に加えて、面倒なリーシュコードの足への巻き付け作業が不要で、ブーツを取り外すためにハイバックのロック機構のロックレバーを回動操作するだけで、自動的にハイバックが後方へ回動しロックレバーが雪面に接してスノーボード板の流れ止め作用を発揮できる。
【００１９】
即ち、スキーのストッパーと同様に、ブーツをビンディングから外している間は流れ止め作用を発揮でき、そのため、スノーボード板だけがゲレンデの斜面下方へ流れてしまって他のスキーヤーやスノーボーダーと衝突する事故を確実に防止できる極めて実用性に優れたスノーボードビンディングとなる。
【００２０】
また、請求項２記載の発明においては、確実に雪面に接してスノーボード板の流れ止め作用を発揮できるロックレバーを、簡易構成により容易に設計実現可能となる一層実用性に優れた構成のスノーボードビンディングとなる。
【００２１】
また、請求項３記載の発明においては、ロックレバーが確実に雪面に接してスノーボード板の流れ止め作用を発揮する構成を、簡易構成により容易に設計実現可能となる一層実用性に優れた構成のスノーボードビンディングとなる。
【００２２】
また、請求項４記載の発明においては、ロックレバーを操作してロック解除状態とすることによりハイバックが後方へ自動回動する構成を、簡易構成により容易に設計実現可能となる一層実用性に優れた構成のスノーボードビンディングとなる。
【００２３】
また、請求項５記載の発明においては、既存のスノーボードビンディングに取付（後付）でき、これにより前記請求項１記載の発明と同様の作用効果を発揮できる極めて実用性に優れたスノーボードビンディング用ストッパー装置となる。
【００２４】
また、請求項６記載の発明においては、付勢体をベース部とハイバックに対し簡易に取り付けできると共に、ロックレバーを操作してロック解除状態とすることによりハイバックが後方へ自動回動する構成を、簡易構成により容易に設計実現可能となる一層実用性に優れた構成のスノーボードビンディング用ストッパー装置となる。
【００２５】
また、請求項７記載の発明においては、ロックレバーが確実に雪面に接してスノーボード板の流れ止め作用を発揮する構成を、簡易構成により容易に設計実現可能となる一層実用性に優れた構成のスノーボードビンディング用ストッパー装置となる。
【図面の簡単な説明】
【００２６】
【図１】実施例１の使用状態を示す概略説明斜視図である。
【図２】実施例１のブーツ装着状態を示す説明側面図である。
【図３】実施例１のハイバックのロック状態を示す説明背面図である。
【図４】実施例１のロックレバーの作動説明図である。
【図５】実施例１のハイバックが後方へ回動してロックレバーが雪面に接した状態を示す説明側面図である。
【図６】実施例３のハイバックのロック状態を示す説明背面図である。
【図７】実施例４のブーツ装着状態を示す説明側面図である。
【図８】実施例５のロックレバーの作動説明図である。
【発明を実施するための形態】
【００２７】
好適と考える本発明の実施形態を、図面に基づいて本発明の作用を示して簡単に説明する。
【００２８】
本発明（請求項１）のスノーボードビンディングＡは、ベース部３の後部にハイバック４が前後方向に回動可能に枢着されており、ブーツ２装着時には、このハイバック４をロック機構６により後方へ回動不能状態にロックする。
【００２９】
具体的には、ハイバック４の後面部に回動可能に設けられているロックレバー７を回動操作して、このロックレバー７をハイバック４の後面部に沿設させると、ロックレバー７と前記ベース部３との間に架設状態に設けられている連結索８が緊張してハイバック４が後方へ回動不能なロック状態となり、このハイバック４と、ハイバック４より前記ベース部３の前側位置に設けられているストラップ５とでベース部３に載置したブーツ２がベース部３に拘束される（ブーツ２装着状態となる。）。
【００３０】
ブーツ２をビンディングＡから取り外す時は、前記ロック機構６をロック解除してハイバック４を後方へ倒すように回動する。
【００３１】
具体的には、ハイバック４の後面部に沿設している（前記ロック状態を維持している）ロックレバー７を、ハイバック４の後面部から後方へ起立させるように回動操作すると、前記連結索８が弛緩してハイバック４を後方へ回動可能なロック解除状態となる。
【００３２】
また、ロック解除状態とすると、ハイバック４に設けられている付勢体９の回動付勢によってハイバック４が後方へ自動回動することになり、この回動付勢によってハイバック４が後方回動限位置若しくは後方回動限位置付近に至ると、前記連結索８が緊張してロックレバー７のハイバック４後面部からの起立姿勢が保持されて、この起立姿勢のロックレバー７が前記スノーボード板１の下方の雪面Ｓに接して流れ止め作用を発揮することになる。
【００３３】
従って、ブーツ２を外すためにロックレバー７をロック解除状態に回動操作すると、自動的にロックレバー７によるスノーボード板１の流れ止め作用が発揮されることになる。そのため、面倒なリーシュコードの足への巻き付け作業が不要となり、リーシュコード巻き付けによる体裁不良も生じない。
【００３４】
また、ハイバック４が後方へ回動すると、ブーツ２をベース部３に対して後方へ移動可能となるので、ストラップ５に拘束されない後方位置までブーツ２を移動させることによりブーツ２をベース部３から取り外すことができる。
【００３５】
従って、ストラップ５を外すことなくブーツ２をベース部３に対し着脱でき、このストラップ５によるブーツの拘束状態調整も、一度調整してしまえばブーツ２着脱の都度調整する手間がなく、毎回同じブーツ２の拘束状態を作り出すことが可能となる。
【００３６】
再度ブーツ２を装着する時は、ブーツ２をベース部３に載置した後、ハイバック４を前記付勢体９の付勢力に抗し前方へ回動操作してブーツ２後部に沿わせた上で前記ロック状態とするので、ロックレバー７が雪面Ｓから離反し流れ止め状態は解除される。
【００３７】
即ち、スキーのストッパーと同様にブーツ２をビンディングＡから外している間は流れ止め作用を発揮するので、リーシュコードを付けていなくてスノーボード板１がゲレンデの斜面下方へ流れてしまったり、ブーツ２着脱時（両足がビンディングから外れている時）にスノーボード板１がゲレンデの斜面下方へ流れてしまったり、スタンドに立て掛けたスノーボード板１が勝手に倒れてゲレンデの斜面下方へ流れてしまったりすること等が確実に防止されることとなり、これによりコントロール不能となったスノーボード板１と、他のスキーヤーやスノーボーダーとの衝突事故を回避できる。
【００３８】
また、本発明（請求項５）のスノーボードビンディング用ストッパー装置は、スノーボード板１に取り付けられてブーツ２を載置可能なベース部３と、このベース部３の後部に枢着されてベース部３に対し前後方向に回動可能なハイバック４と、このハイバック４より前記ベース部３の前側位置に設けられるストラップ５と、前記ハイバック４を後方へ回動不能状態にロックするロック解除可能なロック機構６とから成り、前記ロック機構６は、前記ハイバック４の後面部にロックレバー７が回動自在に設けられていると共に、このロックレバー７と前記ベース部３との間に連結索８が架設状態に設けられて、このロックレバー７を回動操作によりハイバック４の後面部に沿設させると前記連結索８が緊張してハイバック４が後方へ回動不能なロック状態となり、このロック状態のロックレバー７を回動操作によりハイバック４の後面部から後方へ起立させると前記連結索８が弛緩してハイバック４が後方へ回動可能なロック解除状態となるように構成されている公知のスノーボードビンディングＡに対して、付勢体９を前記ハイバック４に取り付けできる。
【００３９】
すると、この付勢体９によるハイバック４の回動付勢により、上記請求項１のスノーボードビンディングＡと同様の作用効果を発揮することになる。
【実施例１】
【００４０】
本発明の具体的な実施例について図１〜図５に基づいて説明する。
【００４１】
本実施例は、左右一対を具備するスノーボードビンディングのうち、前足を装着する方のビンディングＡに対して適用するものである。
【００４２】
このビンディングＡは、図１〜図３に示すように、スノーボード板１の上面に取り付けられてブーツ２を載置可能なベース部３と、このベース部３の後部に枢着されてベース部３に対し前後方向に回動可能なハイバック４と、このハイバック４より前記ベース部３の前側位置に設けられるストラップ５と、前記ハイバック４を後方へ回動不能状態にロックするロック解除可能なロック機構６とから成る公知のハイバック４後方可倒タイプ（ハイバック４を後方へ倒してブーツ２をベース部３から着脱できるタイプ）を採用している。
【００４３】
更に詳しくは、ベース部３は、図２，図３に示すように左右両側に取付壁部13が立設状態に設けられており、この各取付壁部13の後端部にハイバック４の両側下部を回動自在に枢着することにより、少なくともこのハイバック４がベース部３の前方へ倒れた状態と、ベース部３の後方へ水平に近い姿勢にまで倒れた状態（図５参照）との間でベース部３に対し前後方向に回動可能に設けられ、この図５の状態がハイバック４の後方回動限位置として構成されている。
【００４４】
また、この各取付壁部13の、前記ハイバック４の枢着部14より下方位置に、前記ストラップ５としてのアンクルストラップ５Ａが回動自在に枢着され、各取付壁部13の前端部には、前記ストラップ５としてのトゥーストラップ５Ｂが回動自在に枢着され、更にこのアンクルストラップ５Ａとトゥーストラップ５Ｂには、ブーツ２の甲部分を押え込んで拘束する押え部材15が架設状態に設けられている。
【００４５】
また、アンクルストラップ５Ａとトゥーストラップ５Ｂには、夫々にラチェット機構16が設けられて、前記押え部材15によるブーツ２の押え付け度合（締付度合）を調整可能に構成されている。
【００４６】
前記ロック機構６は、前記ハイバック４の後面部にロックレバー７が回動自在に設けられていると共に、このロックレバー７と前記ベース部３との間に連結索８が架設状態に設けられている。
【００４７】
また、ロックレバー７は、帯板状に形成されて、その先端部が先端操作部11として構成されていると共に、その基端部が、ハイバック４後面部の中ほどの左右位置に後方に向けて突設した取付片18間に回動自在に枢着されている。
【００４８】
更にこのロックレバー７は、その対向側面部間に、前記連結索８としてのワイヤー８を挿通する挿通孔19が貫通形成され、この挿通孔19に挿通したワイヤー８の両端部が、前記取付壁部13の、前記アンクルストラップ５Ａの枢着部と前記トゥーストラップ５Ｂの枢着部との間の位置に固定されている。
【００４９】
そして、ハイバック４をベース部３に対し略直立状態とした際にロックレバー７を回動操作によりハイバック４の後面部に沿設させると、図２に示すように前記ワイヤー８が緊張してハイバック４が後方へ回動不能なロック状態となり、このロック状態でロックレバー７を回動操作によりハイバック４の後面部から後方へ起立させると、図２中の二点鎖線で示したように前記連結索８が弛緩してハイバック４が後方へ回動可能なロック解除状態となるように構成されている。図中符号21はワイヤー８のテンション調整ネジである。
【００５０】
また、ロックレバー７の基端部と前記取付片18間のハイバック４後面部とに夫々係合突起20が設けられ、このロックレバー７をハイバック４の後面部に沿設させると（前記ロック状態とすると）、ハイバック４側の係合突起20をロックレバー７側の係合突起20が乗り越えてこのロック状態が維持され、尚且つこのロック状態からロックレバー７を力を加えて後方へ回動操作することでハイバック４側の係合突起20をロックレバー７側の係合突起20が乗り越えて前記ロック解除状態にできるように構成されている。
【００５１】
本実施例は、上述した公知のスノーボードビンディングＡにおいて、前記ロックレバー７の枢着部17より下方の前記左右の取付片18間に、レバー保持体10としてのピン10が架設状態に設けられて、このピン10に、前記ハイバック４の後面部から後方へ回動させたロックレバー７が当たると、ロックレバー７がハイバック４の後面部から後方へ起立した姿勢となると共に、これ以上は回動規制されて下方へ回動しないように構成されている。
【００５２】
即ち、本実施例のロックレバー７は、ハイバック４の後面部に沿設した位置と、前記ピン10に当たってハイバック４の後面部に対し起立した位置との間で回動移動可能に構成されている（図２，図４参照）。
【００５３】
そして、このピン10によってハイバック４後面部から起立姿勢に保持されたロックレバー７は、前記ハイバック４が後方回動限位置付近から後方回動限位置に至ると（水平に近い姿勢に至ると）、前記先端操作部11が略水平となったハイバック４の後面部から下向きに突出（垂下）するように構成されている（図５参照）。
【００５４】
また、本実施例は、前記ハイバック４に、このハイバック４を後方へ回動付勢する付勢体９が設けられて、この付勢体９の回動付勢により前記ロック機構６のロックレバー７を前記ロック解除状態とするとハイバック４が後方へ自動回動するように構成されている。
【００５５】
具体的には、付勢体９は、抗張弾性を有するコイルバネ９Ａを採用し、このコイルバネ９Ａが前記ハイバック４と前記ベース部３との間に架設状態に設けられている。
【００５６】
また、このコイルバネ９Ａは、その両端部に取付部12としての取付環12が設けられて、この取付環12にビス等を挿通してコイルバネ９Ａの一端が前記ハイバック４後面部の下部寄り位置に取り付けられていると共に、コイルバネ９Ａの他端が前記ベース部３の側面部の後部寄り位置に取り付けられている。
【００５７】
また、このコイルバネ９Ａは、ハイバック４後面部の左側位置とベース部３の左側面部との間と、ハイバック４後面部の右側位置とベース部３の右側面部との間に夫々一体ずつ、合計二体が取り付けられていると共に、このコイルバネ９Ａは、ハイバック４がベース部３に対し略直立状態となった時に伸長して復帰付勢力を生じる長さ寸法のものが採用されていて、前記ロック機構６のロックレバー７を前記ロック解除状態とすると、直ちにこのコイルバネ９Ａの回動付勢力がハイバック４に作用してハイバック４が後方へ自動回動するように構成されている。
【００５８】
そして、この付勢体９（コイルバネ９Ａ）の回動付勢により、ハイバック４が後方回動限位置付近及び後方回動限位置に至ると、前記連結索８（ワイヤー８）が緊張してロックレバー７のハイバック４後面部からの起立姿勢が保持され、略水平となったハイバック４の後面部からこの起立姿勢のロックレバー７が下向きに突出するように構成されている。
【００５９】
また、ここで本実施例のロックレバー７について更に説明すると、前記コイルバネ９Ａの回動付勢により、ハイバック４が後方回動限位置付近及び後方回動限位置に至ってこのロックレバー７が下向きに突出した際に、その前記先端操作部11が前記スノーボード板１の下面より下方へ突出することになる長さ寸法の帯板状に形成されている（図５参照）。即ち、このロックレバー７は、スノーボード板１の下方の雪面Ｓに突き刺さるようにして雪面Ｓに接し、これにより雪面Ｓに対するスノーボード板１（スノーボードビンディングＡ）の流れ止め作用が発揮されるように構成されている。
【００６０】
従って、このように構成した本実施例によれば、前足（ブーツ２）を外すためにロックレバー７をロック解除状態に回動操作すると、自動的にハイバック４が後方へ回動してロックレバー７が雪面Ｓに接して（突き刺さって）、スノーボード板１の流れ止め作用が発揮されることになる。
【００６１】
再び前足（ブーツ２）を装着する時は、ブーツ２をベース部３に載置した後、ハイバック４を前記付勢体９の付勢力に抗し前方へ回動操作してブーツ２後部に沿わせた上で、ロックレバー７を回動操作し前記ロック状態とするので、ロックレバー７が雪面Ｓから離反し流れ止め状態は解除されることとなる。
【００６２】
尚、本実施例のビンディングＡは、後足を装着する方のビンディングとして使用することも可能ではあるが、こうするとスケーティング動作を行うために後足をビンディングから外した際にも流れ止め作用が発揮されてしまうので、前足を装着する方のビンディングとして使用する。
【実施例２】
【００６３】
本発明の具体的な実施例２について説明する。
【００６４】
本実施例は、前記実施例１で詳述した公知のビンディングＡに対して取付（後付）可能なスノーボードビンディング用ストッパー装置に構成されている場合であって、具体的には、前記実施例１で示した付勢体９（コイルバネ９Ａ）と、前記レバー保持体10（ピン10）とを備えている。
【００６５】
そして、この付勢体９とレバー保持体10とを前記ハイバック４に取り付けると、この付勢体９の回動付勢により、前記ロック機構６のロックレバー７を前記ロック解除状態とした際にハイバック４が後方へ自動回動し、ハイバック４が後方回動限位置若しくは後方回動限位置付近に至ると、前記連結索８の緊張とレバー保持体10（ピン10）の姿勢保持とによりロックレバー７のハイバック４後面部からの起立姿勢が保持されて、この起立姿勢のロックレバー７が前記スノーボード板１の下方の雪面Ｓに接して流れ止め作用を発揮するように構成されているものである。
【００６６】
また、付勢体９とレバー保持体10の取り付けは、例えばユーザーや専門業者等がビンディングＡに前記実施例１と同様の加工を施すことによって行うと良い。
【００６７】
尚、本実施例の詳細については、前記実施例１の説明と重複するため省略する。また、後述する実施例３〜５の構成を採用した後付装置を採用しても良い。
【００６８】
また、本実施例のような後付装置の場合、ロックレバー７の長さが雪面Ｓへの流れ止め作用を発揮するに満たない場合の対応策として、前記ロックレバー７と交換可能な長さのある交換レバーを備えているか、若しくは前記ロックレバー７に装着可能なレバーアタッチメントを備えていても良い。
【実施例３】
【００６９】
本発明の具体的な実施例３について図６に基づいて説明する。
【００７０】
本実施例は、前記実施例１において、付勢体９としてのコイルバネ９Ａが、更にハイバック４の後面部の下部寄り中央位置と、ベース部３の後部中央部との間にも架設されていて、合計三体のコイルバネ９Ａで、前記ハイバック４を後方へ回動付勢するように構成されている場合である。
【００７１】
尚、この付勢体９としてのコイルバネ９Ａは、前記ハイバック４と前記ベース部３との間に、一体だけが架設状態に設けられていても良いし、四体以上が架設状態に設けられていても良い。
【００７２】
他の構成は、前記実施例１と同様である。
【実施例４】
【００７３】
本発明の具体的な実施例４について図７に基づいて説明する。
【００７４】
本実施例は、前記実施例１において、付勢体９の構成を異ならせた場合である。
【００７５】
具体的には、本実施例の付勢体９は、トーションバネ９Ｂが採用されている。
【００７６】
更に詳しくは、トーションバネ９Ｂが前記枢着部14に軸支され、このトーションバネ９Ｂの一端がハイバック４に係止されていると共に、他端がベース部３に係止されていて、このトーションバネ９Ｂが前記ハイバック４を後方へ回動付勢するように構成されている。
【００７７】
尚、このトーションバネ９Ｂは、左右の枢着部14の双方に設けられていても良いし、いずれか一方の枢着部14にだけ設けられていても良い。また、このトーションバネ９Ｂと、実施例１で付勢体９として示したコイルバネ９Ａとが併用されていても良い。
【００７８】
他の構成は、前記実施例１と同様である。
【実施例５】
【００７９】
本発明の具体的な実施例５について図８に基づいて説明する。
【００８０】
本実施例は、前記実施例１において、前記ロックレバー７に、このロックレバー７を後方へ回動付勢して前記ハイバック４の後面部から後方へ起立させるレバー付勢体22が設けられている場合である。
【００８１】
具体的には、レバー付勢体22は、トーションバネ22が採用されており、このトーションバネ22が前記枢着部17に軸支され、例えば、このトーションバネ22の一端がロックレバー７に係止されていると共に、他端が前記取付片18若しくはハイバック４後面部に係止されていて、このトーションバネ22が前記ロックレバー７を後方へ回動付勢するように構成されている。
【００８２】
尚、このレバー付勢体22は、トーションバネ22以外の他の弾性体が採用されていても良い。
【００８３】
他の構成は、前記実施例１と同様である。
【００８４】
尚、本発明は、実施例１〜５に限られるものではなく、各構成要件の具体的構成は適宜設計し得るものである。
【符号の説明】
【００８５】
１  スノーボード板
２  ブーツ
３  ベース部
４  ハイバック
５  ストラップ
６  ロック機構
７  ロックレバー
８  連結索
９  付勢体
10  レバー保持体
11  先端操作部
12  取付部
Ａ  スノーボードビンディング
Ｓ  雪面
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
スノーボード板に取り付けられてブーツを載置可能なベース部と、このベース部の後部に枢着されてベース部に対し前後方向に回動可能なハイバックと、このハイバックより前記ベース部の前側位置に設けられるストラップと、前記ハイバックを後方へ回動不能状態にロックするロック解除可能なロック機構とから成り、前記ロック機構は、前記ハイバックの後面部にロックレバーが回動自在に設けられていると共に、このロックレバーと前記ベース部との間に連結索が架設状態に設けられて、このロックレバーを回動操作によりハイバックの後面部に沿設させると前記連結索が緊張してハイバックが後方へ回動不能なロック状態となり、このロック状態のロックレバーを回動操作によりハイバックの後面部から後方へ起立させると前記連結索が弛緩してハイバックが後方へ回動可能なロック解除状態となるように構成されているスノーボードビンディングにおいて、前記ハイバックに、このハイバックを後方へ回動付勢する付勢体が設けられて、この付勢体の回動付勢により前記ロック機構のロックレバーを前記ロック解除状態とするとハイバックが後方へ自動回動するように構成されていると共に、ハイバックが後方回動限位置若しくは後方回動限位置付近に至ると、前記連結索が緊張してロックレバーのハイバック後面部からの起立姿勢が保持されて、この起立姿勢のロックレバーが前記スノーボード板の下方の雪面に接して流れ止め作用を発揮するように構成されていることを特徴とするスノーボードビンディング。
【請求項２】
前記ロックレバーは、このロックレバーを回動操作可能な先端操作部を有する形状に形成されていると共に、このロックレバーを前記ハイバックの後面部から後方へ起立させた状態で前記付勢体の回動付勢によりハイバックが後方回動限位置若しくは後方回動限位置付近に至ると、このロックレバーの前記先端操作部が前記スノーボード板の下面より下方へ突出してスノーボード板の下方の雪面に接する形状に形成されていることを特徴とする請求項１記載のスノーボードビンディング。
【請求項３】
前記ハイバックに、前記ロック解除状態とした前記ロックレバーをハイバックの後面部から後方へ起立させた姿勢に保持するレバー保持体が設けられて、前記付勢体により前記ハイバックが後方回動限位置若しくは後方回動限位置付近に至ると、このレバー保持体によりハイバック後面部からの起立姿勢が保持されたロックレバーの先端操作部が下向きに突出するように構成されていることを特徴とする請求項１，２のいずれか１項に記載のスノーボードビンディング。
【請求項４】
前記付勢体は、前記ハイバックと前記ベース部との間に架設状態に設けられて、この付勢体によりハイバックが後方へ回動付勢されていることを特徴とする請求項１〜３のいずれか１項に記載のスノーボードビンディング。
【手続補正２】
【補正対象書類名】明細書
【補正対象項目名】全文
【補正方法】変更
【補正の内容】
【発明の詳細な説明】
【技術分野】
【０００１】
本発明は、ブーツを外す動作に連動してスノーボードのストッパー（流れ止め）機能が働くスノーボードビンディングに関するものである。
【背景技術】
【０００２】
従来のスノーボードビンディングとして、例えば特許第２８３２７８３号（特許文献１）がある。
【０００３】
この特許文献１を簡単に説明すると、ベースプレートと、このベースプレートの後部にその下方部分を傾動自在に枢着したハイバックと、このハイバックの枢着部より更に下方に延長した部分にその下端部を取り付けたストラップ部と、前記ハイバックの後方への傾動をロックするロック解除可能なロック手段とから成り、前記ロック手段は、前記ハイバックの背面に沿って延び、その両端を夫々前記ハイバックの枢着部より前方部分のベースプレート両側に連結したワイヤーと、ハイバックに回動自在に枢着されて前記ワイヤーを緊張状態と緊張解除状態とに切替え操作するレバーとから成るものとされている。
【０００４】
そして、この特許文献１によると、ストラップ部のラチェットベルトとラチェット爪の係合を外すことなく、レバー操作でのロック解除によりハイバックを後方へ傾動させてブーツをベースプレートに対し極めて容易に着脱できると共に、ブーツの締め付け具合も毎回同じにすることができるという利点がある。
【先行技術文献】
【特許文献】
【０００５】
【特許文献１】特許第２８３２７８３号公報
【発明の概要】
【発明が解決しようとする課題】
【０００６】
ところで、スノーボードのビンディングには、リーシュコードと称される足に巻き付ける流れ止め用のバンドが設けられている。
【０００７】
しかしながら、このリーシュコードは、足への着脱作業をビンディングに対するブーツの着脱作業とは別に行わなければならないので面倒であり、またリーシュコードを足に巻き付けた際の体裁も良いとは言えないために、なかなか使用が徹底されないという現状であった。
【０００８】
そのため、リーシュコードを付けていないことが原因でスノーボード板がゲレンデの斜面下方へ流れて他のスキーヤーやスノーボーダーに衝突してしまう事故が後を絶たず、また、スキーのストッパーのように、ビンディングからブーツを外すと自動的にストッパー機能が働くものではないために、ブーツ着脱時（両足がビンディングから外れている時）にスノーボード板がゲレンデの斜面下方へ流れてしまったり、スタンドに立て掛けたスノーボード板が風等の影響で勝手に倒れてゲレンデの斜面下方へ流れてしまったりすることもあった。
【０００９】
本発明は、このようなスノーボード用流れ止めの問題点に鑑み、これを解決しようとするもので、上記特許文献１のようなハイバック後方可倒タイプのビンディングを改良することにより、スキーのストッパーと同様にブーツを外す動作に連動してストッパー機能が働くスノーボードビンディングを提供するものである。
【課題を解決するための手段】
【００１０】
添付図面を参照して本発明の要旨を説明する。
【００１１】
スノーボード板１に取り付けられてブーツ２を載置可能なベース部３と、このベース部３の後部に枢着されてベース部３に対し前後方向に回動可能なハイバック４と、このハイバック４より前記ベース部３の前側位置に設けられるストラップ５と、前記ハイバック４を後方へ回動不能状態にロックするロック解除可能なロック機構６とから成り、前記ロック機構６は、前記ハイバック４の後面部にロックレバー７が回動自在に設けられていると共に、このロックレバー７と前記ベース部３との間に連結索８が架設状態に設けられて、このロックレバー７を回動操作によりハイバック４の後面部に沿設させると前記連結索８が緊張してハイバック４が後方へ回動不能なロック状態となり、このロック状態のロックレバー７を回動操作によりハイバック４の後面部から後方へ起立させると前記連結索８が弛緩してハイバック４が後方へ回動可能なロック解除状態となるように構成されているスノーボードビンディングＡにおいて、前記ハイバック４に、このハイバック４を後方へ回動付勢する付勢体９が設けられて、この付勢体９の回動付勢により前記ロック機構６のロックレバー７を前記ロック解除状態とするとハイバック４が後方へ自動回動するように構成されていると共に、ハイバック４が後方回動限位置若しくは後方回動限位置付近に至ると、前記連結索８が緊張してロックレバー７のハイバック４後面部からの起立姿勢が保持されて、この起立姿勢のロックレバー７が前記スノーボード板１の下方の雪面Ｓに接して流れ止め作用を発揮するように構成されていることを特徴とするスノーボードビンディングに係るものである。
【００１２】
また、前記ロックレバー７は、このロックレバー７を回動操作可能な先端操作部11を有する形状に形成されていると共に、このロックレバー７を前記ハイバック４の後面部から後方へ起立させた状態で前記付勢体９の回動付勢によりハイバック４が後方回動限位置若しくは後方回動限位置付近に至ると、このロックレバー７の前記先端操作部11が前記スノーボード板１の下面より下方へ突出してスノーボード板１の下方の雪面Ｓに接する形状に形成されていることを特徴とする請求項１記載のスノーボードビンディングに係るものである。
【００１３】
また、前記ハイバック４に、前記ロック解除状態とした前記ロックレバー７をハイバック４の後面部から後方へ起立させた姿勢に保持するレバー保持体10が設けられて、前記付勢体９により前記ハイバック４が後方回動限位置若しくは後方回動限位置付近に至ると、このレバー保持体10によりハイバック４後面部からの起立姿勢が保持されたロックレバー７の先端操作部11が下向きに突出するように構成されていることを特徴とする請求項１，２のいずれか１項に記載のスノーボードビンディングに係るものである。
【００１４】
また、前記付勢体９は、前記ハイバック４と前記ベース部３との間に架設状態に設けられて、この付勢体９によりハイバック４が後方へ回動付勢されていることを特徴とする請求項１〜３のいずれか１項に記載のスノーボードビンディングに係るものである。
【発明の効果】
【００１５】
本発明は上述のように構成したから、前記特許文献１と同様の作用効果に加えて、面倒なリーシュコードの足への巻き付け作業が不要で、ブーツを取り外すためにハイバックのロック機構のロックレバーを回動操作するだけで、自動的にハイバックが後方へ回動しロックレバーが雪面に接してスノーボード板の流れ止め作用を発揮できる。
【００１６】
即ち、スキーのストッパーと同様に、ブーツをビンディングから外している間は流れ止め作用を発揮でき、そのため、スノーボード板だけがゲレンデの斜面下方へ流れてしまって他のスキーヤーやスノーボーダーと衝突する事故を確実に防止できる極めて実用性に優れたスノーボードビンディングとなる。
【００１７】
また、請求項２記載の発明においては、確実に雪面に接してスノーボード板の流れ止め作用を発揮できるロックレバーを、簡易構成により容易に設計実現可能となる一層実用性に優れた構成のスノーボードビンディングとなる。
【００１８】
また、請求項３記載の発明においては、ロックレバーが確実に雪面に接してスノーボード板の流れ止め作用を発揮する構成を、簡易構成により容易に設計実現可能となる一層実用性に優れた構成のスノーボードビンディングとなる。
【００１９】
また、請求項４記載の発明においては、ロックレバーを操作してロック解除状態とすることによりハイバックが後方へ自動回動する構成を、簡易構成により容易に設計実現可能となる一層実用性に優れた構成のスノーボードビンディングとなる。
【図面の簡単な説明】
【００２０】
【図１】実施例１の使用状態を示す概略説明斜視図である。
【図２】実施例１のブーツ装着状態を示す説明側面図である。
【図３】実施例１のハイバックのロック状態を示す説明背面図である。
【図４】実施例１のロックレバーの作動説明図である。
【図５】実施例１のハイバックが後方へ回動してロックレバーが雪面に接した状態を示す説明側面図である。
【図６】実施例３のハイバックのロック状態を示す説明背面図である。
【図７】実施例４のブーツ装着状態を示す説明側面図である。
【図８】実施例５のロックレバーの作動説明図である。
【発明を実施するための形態】
【００２１】
好適と考える本発明の実施形態を、図面に基づいて本発明の作用を示して簡単に説明する。
【００２２】
本発明のスノーボードビンディングＡは、ベース部３の後部にハイバック４が前後方向に回動可能に枢着されており、ブーツ２装着時には、このハイバック４をロック機構６により後方へ回動不能状態にロックする。
【００２３】
具体的には、ハイバック４の後面部に回動可能に設けられているロックレバー７を回動操作して、このロックレバー７をハイバック４の後面部に沿設させると、ロックレバー７と前記ベース部３との間に架設状態に設けられている連結索８が緊張してハイバック４が後方へ回動不能なロック状態となり、このハイバック４と、ハイバック４より前記ベース部３の前側位置に設けられているストラップ５とでベース部３に載置したブーツ２がベース部３に拘束される（ブーツ２装着状態となる。）。
【００２４】
ブーツ２をビンディングＡから取り外す時は、前記ロック機構６をロック解除してハイバック４を後方へ倒すように回動する。
【００２５】
具体的には、ハイバック４の後面部に沿設している（前記ロック状態を維持している）ロックレバー７を、ハイバック４の後面部から後方へ起立させるように回動操作すると、前記連結索８が弛緩してハイバック４を後方へ回動可能なロック解除状態となる。
【００２６】
また、ロック解除状態とすると、ハイバック４に設けられている付勢体９の回動付勢によってハイバック４が後方へ自動回動することになり、この回動付勢によってハイバック４が後方回動限位置若しくは後方回動限位置付近に至ると、前記連結索８が緊張してロックレバー７のハイバック４後面部からの起立姿勢が保持されて、この起立姿勢のロックレバー７が前記スノーボード板１の下方の雪面Ｓに接して流れ止め作用を発揮することになる。
【００２７】
従って、ブーツ２を外すためにロックレバー７をロック解除状態に回動操作すると、自動的にロックレバー７によるスノーボード板１の流れ止め作用が発揮されることになる。そのため、面倒なリーシュコードの足への巻き付け作業が不要となり、リーシュコード巻き付けによる体裁不良も生じない。
【００２８】
また、ハイバック４が後方へ回動すると、ブーツ２をベース部３に対して後方へ移動可能となるので、ストラップ５に拘束されない後方位置までブーツ２を移動させることによりブーツ２をベース部３から取り外すことができる。
【００２９】
従って、ストラップ５を外すことなくブーツ２をベース部３に対し着脱でき、このストラップ５によるブーツの拘束状態調整も、一度調整してしまえばブーツ２着脱の都度調整する手間がなく、毎回同じブーツ２の拘束状態を作り出すことが可能となる。
【００３０】
再度ブーツ２を装着する時は、ブーツ２をベース部３に載置した後、ハイバック４を前記付勢体９の付勢力に抗し前方へ回動操作してブーツ２後部に沿わせた上で前記ロック状態とするので、ロックレバー７が雪面Ｓから離反し流れ止め状態は解除される。
【００３１】
即ち、スキーのストッパーと同様にブーツ２をビンディングＡから外している間は流れ止め作用を発揮するので、リーシュコードを付けていなくてスノーボード板１がゲレンデの斜面下方へ流れてしまったり、ブーツ２着脱時（両足がビンディングから外れている時）にスノーボード板１がゲレンデの斜面下方へ流れてしまったり、スタンドに立て掛けたスノーボード板１が勝手に倒れてゲレンデの斜面下方へ流れてしまったりすること等が確実に防止されることとなり、これによりコントロール不能となったスノーボード板１と、他のスキーヤーやスノーボーダーとの衝突事故を回避できる。
【実施例１】
【００３２】
本発明の具体的な実施例について図１〜図５に基づいて説明する。
【００３３】
本実施例は、左右一対を具備するスノーボードビンディングのうち、前足を装着する方のビンディングＡに対して適用するものである。
【００３４】
このビンディングＡは、図１〜図３に示すように、スノーボード板１の上面に取り付けられてブーツ２を載置可能なベース部３と、このベース部３の後部に枢着されてベース部３に対し前後方向に回動可能なハイバック４と、このハイバック４より前記ベース部３の前側位置に設けられるストラップ５と、前記ハイバック４を後方へ回動不能状態にロックするロック解除可能なロック機構６とから成る公知のハイバック４後方可倒タイプ（ハイバック４を後方へ倒してブーツ２をベース部３から着脱できるタイプ）を採用している。
【００３５】
更に詳しくは、ベース部３は、図２，図３に示すように左右両側に取付壁部13が立設状態に設けられており、この各取付壁部13の後端部にハイバック４の両側下部を回動自在に枢着することにより、少なくともこのハイバック４がベース部３の前方へ倒れた状態と、ベース部３の後方へ水平に近い姿勢にまで倒れた状態（図５参照）との間でベース部３に対し前後方向に回動可能に設けられ、この図５の状態がハイバック４の後方回動限位置として構成されている。
【００３６】
また、この各取付壁部13の、前記ハイバック４の枢着部14より下方位置に、前記ストラップ５としてのアンクルストラップ５Ａが回動自在に枢着され、各取付壁部13の前端部には、前記ストラップ５としてのトゥーストラップ５Ｂが回動自在に枢着され、更にこのアンクルストラップ５Ａとトゥーストラップ５Ｂには、ブーツ２の甲部分を押え込んで拘束する押え部材15が架設状態に設けられている。
【００３７】
また、アンクルストラップ５Ａとトゥーストラップ５Ｂには、夫々にラチェット機構16が設けられて、前記押え部材15によるブーツ２の押え付け度合（締付度合）を調整可能に構成されている。
【００３８】
前記ロック機構６は、前記ハイバック４の後面部にロックレバー７が回動自在に設けられていると共に、このロックレバー７と前記ベース部３との間に連結索８が架設状態に設けられている。
【００３９】
また、ロックレバー７は、帯板状に形成されて、その先端部が先端操作部11として構成されていると共に、その基端部が、ハイバック４後面部の中ほどの左右位置に後方に向けて突設した取付片18間に回動自在に枢着されている。
【００４０】
更にこのロックレバー７は、その対向側面部間に、前記連結索８としてのワイヤー８を挿通する挿通孔19が貫通形成され、この挿通孔19に挿通したワイヤー８の両端部が、前記取付壁部13の、前記アンクルストラップ５Ａの枢着部と前記トゥーストラップ５Ｂの枢着部との間の位置に固定されている。
【００４１】
そして、ハイバック４をベース部３に対し略直立状態とした際にロックレバー７を回動操作によりハイバック４の後面部に沿設させると、図２に示すように前記ワイヤー８が緊張してハイバック４が後方へ回動不能なロック状態となり、このロック状態でロックレバー７を回動操作によりハイバック４の後面部から後方へ起立させると、図２中の二点鎖線で示したように前記連結索８が弛緩してハイバック４が後方へ回動可能なロック解除状態となるように構成されている。図中符号21はワイヤー８のテンション調整ネジである。
【００４２】
また、ロックレバー７の基端部と前記取付片18間のハイバック４後面部とに夫々係合突起20が設けられ、このロックレバー７をハイバック４の後面部に沿設させると（前記ロック状態とすると）、ハイバック４側の係合突起20をロックレバー７側の係合突起20が乗り越えてこのロック状態が維持され、尚且つこのロック状態からロックレバー７を力を加えて後方へ回動操作することでハイバック４側の係合突起20をロックレバー７側の係合突起20が乗り越えて前記ロック解除状態にできるように構成されている。
【００４３】
本実施例は、上述した公知のスノーボードビンディングＡにおいて、前記ロックレバー７の枢着部17より下方の前記左右の取付片18間に、レバー保持体10としてのピン10が架設状態に設けられて、このピン10に、前記ハイバック４の後面部から後方へ回動させたロックレバー７が当たると、ロックレバー７がハイバック４の後面部から後方へ起立した姿勢となると共に、これ以上は回動規制されて下方へ回動しないように構成されている。
【００４４】
即ち、本実施例のロックレバー７は、ハイバック４の後面部に沿設した位置と、前記ピン10に当たってハイバック４の後面部に対し起立した位置との間で回動移動可能に構成されている（図２，図４参照）。
【００４５】
そして、このピン10によってハイバック４後面部から起立姿勢に保持されたロックレバー７は、前記ハイバック４が後方回動限位置付近から後方回動限位置に至ると（水平に近い姿勢に至ると）、前記先端操作部11が略水平となったハイバック４の後面部から下向きに突出（垂下）するように構成されている（図５参照）。
【００４６】
また、本実施例は、前記ハイバック４に、このハイバック４を後方へ回動付勢する付勢体９が設けられて、この付勢体９の回動付勢により前記ロック機構６のロックレバー７を前記ロック解除状態とするとハイバック４が後方へ自動回動するように構成されている。
【００４７】
具体的には、付勢体９は、抗張弾性を有するコイルバネ９Ａを採用し、このコイルバネ９Ａが前記ハイバック４と前記ベース部３との間に架設状態に設けられている。
【００４８】
また、このコイルバネ９Ａは、その両端部に取付部12としての取付環12が設けられて、この取付環12にビス等を挿通してコイルバネ９Ａの一端が前記ハイバック４後面部の下部寄り位置に取り付けられていると共に、コイルバネ９Ａの他端が前記ベース部３の側面部の後部寄り位置に取り付けられている。
【００４９】
また、このコイルバネ９Ａは、ハイバック４後面部の左側位置とベース部３の左側面部との間と、ハイバック４後面部の右側位置とベース部３の右側面部との間に夫々一体ずつ、合計二体が取り付けられていると共に、このコイルバネ９Ａは、ハイバック４がベース部３に対し略直立状態となった時に伸長して復帰付勢力を生じる長さ寸法のものが採用されていて、前記ロック機構６のロックレバー７を前記ロック解除状態とすると、直ちにこのコイルバネ９Ａの回動付勢力がハイバック４に作用してハイバック４が後方へ自動回動するように構成されている。
【００５０】
そして、この付勢体９（コイルバネ９Ａ）の回動付勢により、ハイバック４が後方回動限位置付近及び後方回動限位置に至ると、前記連結索８（ワイヤー８）が緊張してロックレバー７のハイバック４後面部からの起立姿勢が保持され、略水平となったハイバック４の後面部からこの起立姿勢のロックレバー７が下向きに突出するように構成されている。
【００５１】
また、ここで本実施例のロックレバー７について更に説明すると、前記コイルバネ９Ａの回動付勢により、ハイバック４が後方回動限位置付近及び後方回動限位置に至ってこのロックレバー７が下向きに突出した際に、その前記先端操作部11が前記スノーボード板１の下面より下方へ突出することになる長さ寸法の帯板状に形成されている（図５参照）。即ち、このロックレバー７は、スノーボード板１の下方の雪面Ｓに突き刺さるようにして雪面Ｓに接し、これにより雪面Ｓに対するスノーボード板１（スノーボードビンディングＡ）の流れ止め作用が発揮されるように構成されている。
【００５２】
従って、このように構成した本実施例によれば、前足（ブーツ２）を外すためにロックレバー７をロック解除状態に回動操作すると、自動的にハイバック４が後方へ回動してロックレバー７が雪面Ｓに接して（突き刺さって）、スノーボード板１の流れ止め作用が発揮されることになる。
【００５３】
再び前足（ブーツ２）を装着する時は、ブーツ２をベース部３に載置した後、ハイバック４を前記付勢体９の付勢力に抗し前方へ回動操作してブーツ２後部に沿わせた上で、ロックレバー７を回動操作し前記ロック状態とするので、ロックレバー７が雪面Ｓから離反し流れ止め状態は解除されることとなる。
【００５４】
尚、本実施例のビンディングＡは、後足を装着する方のビンディングとして使用することも可能ではあるが、こうするとスケーティング動作を行うために後足をビンディングから外した際にも流れ止め作用が発揮されてしまうので、前足を装着する方のビンディングとして使用する。
【実施例２】
【００５５】
本発明の具体的な実施例２について説明する。
【００５６】
本実施例は、前記実施例１で詳述した公知のビンディングＡに対して取付（後付）可能なスノーボードビンディング用ストッパー装置に構成されている場合であって、具体的には、前記実施例１で示した付勢体９（コイルバネ９Ａ）と、前記レバー保持体10（ピン10）とを備えている。
【００５７】
そして、この付勢体９とレバー保持体10とを前記ハイバック４に取り付けると、この付勢体９の回動付勢により、前記ロック機構６のロックレバー７を前記ロック解除状態とした際にハイバック４が後方へ自動回動し、ハイバック４が後方回動限位置若しくは後方回動限位置付近に至ると、前記連結索８の緊張とレバー保持体10（ピン10）の姿勢保持とによりロックレバー７のハイバック４後面部からの起立姿勢が保持されて、この起立姿勢のロックレバー７が前記スノーボード板１の下方の雪面Ｓに接して流れ止め作用を発揮するように構成されているものである。
【００５８】
また、付勢体９とレバー保持体10の取り付けは、例えばユーザーや専門業者等がビンディングＡに前記実施例１と同様の加工を施すことによって行うと良い。
【００５９】
尚、本実施例の詳細については、前記実施例１の説明と重複するため省略する。また、後述する実施例３〜５の構成を採用した後付装置を採用しても良い。
【００６０】
また、本実施例のような後付装置の場合、ロックレバー７の長さが雪面Ｓへの流れ止め作用を発揮するに満たない場合の対応策として、前記ロックレバー７と交換可能な長さのある交換レバーを備えているか、若しくは前記ロックレバー７に装着可能なレバーアタッチメントを備えていても良い。
【実施例３】
【００６１】
本発明の具体的な実施例３について図６に基づいて説明する。
【００６２】
本実施例は、前記実施例１において、付勢体９としてのコイルバネ９Ａが、更にハイバック４の後面部の下部寄り中央位置と、ベース部３の後部中央部との間にも架設されていて、合計三体のコイルバネ９Ａで、前記ハイバック４を後方へ回動付勢するように構成されている場合である。
【００６３】
尚、この付勢体９としてのコイルバネ９Ａは、前記ハイバック４と前記ベース部３との間に、一体だけが架設状態に設けられていても良いし、四体以上が架設状態に設けられていても良い。
【００６４】
他の構成は、前記実施例１と同様である。
【実施例４】
【００６５】
本発明の具体的な実施例４について図７に基づいて説明する。
【００６６】
本実施例は、前記実施例１において、付勢体９の構成を異ならせた場合である。
【００６７】
具体的には、本実施例の付勢体９は、トーションバネ９Ｂが採用されている。
【００６８】
更に詳しくは、トーションバネ９Ｂが前記枢着部14に軸支され、このトーションバネ９Ｂの一端がハイバック４に係止されていると共に、他端がベース部３に係止されていて、このトーションバネ９Ｂが前記ハイバック４を後方へ回動付勢するように構成されている。
【００６９】
尚、このトーションバネ９Ｂは、左右の枢着部14の双方に設けられていても良いし、いずれか一方の枢着部14にだけ設けられていても良い。また、このトーションバネ９Ｂと、実施例１で付勢体９として示したコイルバネ９Ａとが併用されていても良い。
【００７０】
他の構成は、前記実施例１と同様である。
【実施例５】
【００７１】
本発明の具体的な実施例５について図８に基づいて説明する。
【００７２】
本実施例は、前記実施例１において、前記ロックレバー７に、このロックレバー７を後方へ回動付勢して前記ハイバック４の後面部から後方へ起立させるレバー付勢体22が設けられている場合である。
【００７３】
具体的には、レバー付勢体22は、トーションバネ22が採用されており、このトーションバネ22が前記枢着部17に軸支され、例えば、このトーションバネ22の一端がロックレバー７に係止されていると共に、他端が前記取付片18若しくはハイバック４後面部に係止されていて、このトーションバネ22が前記ロックレバー７を後方へ回動付勢するように構成されている。
【００７４】
尚、このレバー付勢体22は、トーションバネ22以外の他の弾性体が採用されていても良い。
【００７５】
他の構成は、前記実施例１と同様である。
【００７６】
尚、本発明は、実施例１〜５に限られるものではなく、各構成要件の具体的構成は適宜設計し得るものである。
【符号の説明】
【００７７】
１  スノーボード板
２  ブーツ
３  ベース部
４  ハイバック
５  ストラップ
６  ロック機構
７  ロックレバー
８  連結索
９  付勢体
10  レバー保持体
11  先端操作部
Ａ  スノーボードビンディング
Ｓ  雪面